(57)【特許請求の範囲】
【請求項１】
電装部品を有した回路部が配される電装室と被加熱物を収納する加熱室とを有する本体部と、前記加熱室の前面を開閉するとともに電装部を有するドアと、前記本体部の前面板を介して前記回路部と前記電装部とを接続するリード線と、前記本体部の底面を支持する支持台と、前記支持台と別部材から成るとともに前記前面板の前面に配して前記リード線を覆い、前記支持台または前記前面板に対して着脱自在のリード線カバーとを備えたことを特徴とする加熱調理装置。
【請求項２】
前記リード線カバーの上面に、前記本体部側に開放した孔部を設けたことを特徴とする請求項１に記載の加熱調理装置。
【請求項３】
前記支持台により前記前面板の前面を覆うとともに、前記本体部の上端から前記加熱室の上端までの距離と、前記加熱室の下端から前記支持台の上端までの距離とを略等しくしたことを特徴とする請求項１または請求項２に記載の加熱調理装置。
【請求項４】
前記ドアの背面下部に、前記本体部から離れる方向に凹設される段差を形成したことを特徴とする請求項３に記載の加熱調理装置。
【請求項５】
前記リード線カバーを前記支持台に係着したことを特徴とする請求項１〜請求項４のいずれかに記載の加熱調理装置。
【発明の詳細な説明】
【０００１】
【発明の属する技術分野】
本発明は、電子レンジ等の加熱調理装置に関する。
【０００２】
【従来の技術】
従来の加熱調理装置の例として、電子レンジの斜視図を図１１に示す。電子レンジ１は加熱室４を有する本体部３の前面をドア２により開閉可能になっている。加熱室４の下方には、各部の電源供給等を行う回路部（不図示）やマイクロ波を発生させるマグネトロン（不図示）等を配置する電装室６が設けられている。これにより、電子レンジ１の横幅を狭くして省スペース化を図ることができるようになっている。
【０００３】
回路部は回路基板８の両面にスイッチング素子、トランス、コンデンサ等の多数の電子部品が実装して構成されている。本体部３の底板５上には取付板７がネジ（不図示）により取付けられている。取付板７にはネジ部７ａが折曲して形成され、回路基板８がネジ（不図示）によりネジ部７ａに取付けられている。これにより、回路基板８を底板５から離間して設置できるようになっている。
【０００４】
本体部３の後部には脚部１９が取付けられ、前部には脚部１０ａ、１０ｂを有する支持台１０が取付けられている。脚部１９及び脚部１０ａ、１０ｂにより本体部３が支持されている。また、脚部１０ａ、１０ｂは連結部１０ｃにより連結して部品点数を削減するようになっており、連結部１０ｃにより本体部３の前面の下部が覆われている。
【０００５】
ドア２には調理状況を表示する表示パネル等から成る電装部９が設けられている。図１２に示すように、電装室６内の回路基板８にコネクタ１２ａ、１２ｂにより接続されたリード線１１は、本体部３の前面板１３に設けられた孔部１３ａを介して支持台１０の脚部１０ａ内を通り、ドア２に設けられた孔部２ａに挿通されている。
【０００６】
孔部２ａはドア２の枢支軸と同軸に形成され、ドア２の開閉によるリード線１１の破損を防止している。そして、リード線１１はドア２内を通って電装部９に接続されている。これにより、電装部９の電源供給や電装部９と回路部との通信が行われるようになっている。
【０００７】
【発明が解決しようとする課題】
しかしながら、上記構成の従来の加熱調理装置によると、支持台１０を本体部３に取付けると、前面板１３及び脚部１０ａにより覆われたスペースを通してリード線１１を孔部２ａまたは孔部１３ａに挿通する必要がある。従って、作業が困難になり工数がかかるため、孔部２ａ、１３ａにリード線１１を挿通した後、支持台１０を本体部３に取付ける必要があった。
【０００８】
このため、リード線１１を取付けるまでは本体部３が支持されず不安定な状態で加熱調理装置の組立が行われ、尚、工数がかかる問題があった。また、メンテナンス時にリード線１１を取り外した後、取付ける際にも支持台１０を取り外す必要があり、容易にメンテナンスができない問題もあった。
【０００９】
また、回路基板８を底板５から離間して取付けるために取付板７が設けられるため部品点数が多くコストがかかる問題もあった。
【００１０】
本発明は、工数削減によるコスト削減を図るとともにメンテナンスを容易にすることのできる加熱調理装置を提供することを目的とする。また本発明は、部品点数を削減してコストを削減することのできる加熱調理装置を提供することを目的とする。
【００１１】
【課題を解決するための手段】
上記目的を達成するために本発明は、電装部品を有した回路部が配される電装室と被加熱物を収納する加熱室とを有する本体部と、前記加熱室の前面を開閉するとともに電装部を有するドアと、前記本体部の前面板を介して前記回路部と前記電装部とを接続するリード線と、前記本体部の底面を支持する支持台と、前記支持台と別部材から成るとともに前記前面板の前面に配して前記リード線を覆い、前記支持台または前記前面板に対して着脱自在のリード線カバーとを備えたことを特徴としている。
【００１２】
この構成によると、支持台によって底面が支持された本体部内に回路部が配され、回路部とドアに設けられる電装部とがリード線を介して接続される。これにより電装部の電源供給や回路部と電装部との通信が行われる。リード線は本体部の前面板を例えば貫通し、リード線カバーと前面板との間を通ってドアに導かれる。加熱調理装置の組立時には、例えば電装部に接続されたリード線をリード線カバー内に挿通した後電源部に接続し、リード線カバーを前面板の前面に装着してリード線が覆われる。
【００１３】
また本発明は、上記構成の加熱調理装置において、前記リード線カバーの上面に、前記本体部側に開放した孔部を設けたことを特徴としている。この構成によると、リード線を電装部及び回路部に接続後、孔部をリード線の位置に合わせてリード線カバーを装着できる。
【００１４】
また本発明は、上記構成の加熱調理装置において、前記支持台により前記前面板の前面を覆うとともに、前記本体部の上端から前記加熱室の上端までの距離と、前記加熱室の下端から前記支持台の上端までの距離とを略等しくしたことを特徴としている。この構成によると、ドアを開いた際に露出する前面板の上下の幅が略等しくなる。
【００１５】
また本発明は、上記構成の加熱調理装置において、前記ドアの背面下部に、前記本体部から離れる方向に凹設される段差を形成したことを特徴としている。この構成によると、ドアと支持台との干渉を回避することができる。
【００１６】
また本発明は、上記構成の加熱調理装置において、前記リード線カバーを前記支持台に係着したことを特徴としている。この構成によると、リード線カバーを上部と下部で安定して支持することができる。
【００１７】
また本発明は、被加熱物を収納する加熱室を有する本体部の底板と前記加熱室との間に電装部品を実装した回路基板を配置し、前記底板の周縁を折曲して前記回路基板を取付ける取付部を形成したことを特徴としている。この構成によると、底板の周縁を折曲した取付部により底板と回路基板とが離間して取付けられる。
【００１８】
また本発明は、上記構成の加熱調理装置において、前記回路基板を支持して弾性を有する支持クリップを前記底板と前記回路基板との間に配したことを特徴としている。この構成によると、回路基板に加わる衝撃が支持クリップにより緩衝される。
【００１９】
【発明の実施の形態】
以下に本発明の実施形態を図面を参照して説明する。説明の便宜上、従来例の図１１、図１２と同一の部分については同一の符号を付している。図１は一実施形態の加熱調理装置である電子レンジを示す斜視図である。電子レンジ１は本体部３の前面をドア２により開閉可能になっている。
【００２０】
本体部３の後部には脚部１９が取付けられ、前部には脚部１０ｂ、１０ｄを有する支持台１０が取付けられている。脚部１９及び脚部１０ｂ、１０ｄにより本体部３が支持されている。脚部１０ｄの前面には、詳細を後述するようにリード線を覆うリード線カバー１７が係着されている。また、脚部１０ｂ、１０ｄは連結部１０ｃにより連結して部品点数を削減するようになっている。
【００２１】
図２はドア２を取り外した本体部３を示す正面図、図３はドア２の背面斜視図である。本体部３の上部には被加熱物を収納する加熱室４が設けられている。加熱室４の下部には、後述するように、各部の電源供給や各部との通信等を行う回路部（不図示）や、マイクロ波を発生させるマグネトロン（不図示）等を配置する電装室６（図４参照）が設けられている。これにより、電子レンジ１の横幅を狭くして省スペース化を図ることができるようになっている。
【００２２】
本体部３の前面には、加熱室４の部分を開口した前面板１３が配されている。前面板１３の下部は支持台１０の連結部１０ｃにより覆われている。そして、本体部３の上端から加熱室４の上端までの距離Ａと、加熱室４の下端から連結部１０ｃの上端までの距離Ａ’の距離とを略等しくしている。これにより、電装室６（図４参照）を加熱室４の下方に配置することによって加熱室４よりも下方の距離Ｂが長くなるが、ドア２を開いた際に使用者に距離Ｂを長く感じさせず、電子レンジ１の美観を向上させることができるようになっている。
【００２３】
図２における前面板１３の左方の上下部にはアングル２１が突設されている。ドア２にはアングル２１に対応する位置にアングル２３（図３参照）が突設される。下側のアングル２１にはヒンジピン２１ａが設けられ、ドア２の下側のアングル２３に設けられた孔部（不図示）に填められる。そして、上側のアングル２１、２３にヒンジピン（不図示）を挿通してドア２が回動可能に支持されている。
【００２４】
図２における前面板１３の図中、右方の上下部には孔部１３ｂが設けられている。ドア２には孔部１３ｂに対応する位置に回動可能なフック２２（図３参照）が設けられている。ドア２を閉じるとフック２２が孔部１３ｂに係合してドア２の閉止状態が保持されるようになっている。
【００２５】
尚、ドア２の背面の下部には本体部３から離れる方向に凹設される段差部２ｃが形成されている。ドア２を閉じた状態の側面図を図４に示すと、段差部２ｃによって支持台１０の連結部１０ｃとドア２との干渉を回避してドア２が閉止されるようになっている。
【００２６】
図５はリード線カバー１７を示す背面斜視図である。リード線カバー１７は樹脂成形品から成り、上面には後方に開放した孔部１７ａが形成されている。孔部１７ａには後述するリード線１１（図８参照）が挿通される。孔部１７ａの前面側にはリード線１１を覆って見えないようにするリブ１７ｅが設けられている。リード線カバー１７の背面には弾性変形可能な複数のフック１７ｂ、１７ｃ、１７ｄが形成されている。
【００２７】
図６は支持台１０及びリード線カバー１７を示す前面斜視図である。支持台１０の連結部１０ｃ及び脚部１０ｄには係合孔１０ｅ、１０ｇが形成されている。また、連結部１０ｃの端部には前面から見てＬ字型に切欠いた段部１０ｆが形成されている。
【００２８】
フック１７ｂ、１７ｃ、１７ｄがそれぞれ係合孔１０ｅ、段部１０ｆ、係合孔１０ｇと係合することにより、リード線カバー１７が支持台１０に着脱自在に取付けられるようになっている。フック１７ｂ、１７ｃ、１７ｄに係合する係合孔を前面板１３に設けてリード線カバー１７を前面板１３に係着してもよい。しかしながら、底板５（図４参照）の下方に配される脚部１０ｄに設けた係合孔１０ｇにより、リード線カバー１７を上部だけでなく下部も係止できる。このため、リード線カバー１７を安定して支持できるので支持台１０に係着する方がより望ましい。
【００２９】
前述の図１において、ドア２には調理状況を表示する表示パネル１５や調理操作を行う操作部１６等から成る電装部９が設けられている。図７に示すように、電装部９には電源供給及び通信を行うリード線１１が接続される。リード線１１はアングル２３（図３参照）と一体化されるドアヒンジ２０に保持されてドア２の内部を通り、ドア２に設けられた孔部２ａから引き出される。孔部２ａはドア２の枢支軸と同軸に形成され、ドア２の開閉によるリード線１１の破損を防止するようになっている。
【００３０】
孔部２ａの中心線Ｄを通る断面図を図８に示すと、リード線１１はリード線カバー１７の孔部１７ａを介してリード線カバー１７内を通る。そして、前面板１３に設けられた孔部１３ａを介して電装室６に配された回路部の回路基板８にコネクタ１２ａ、１２ｂにより接続されている。孔部１３ａに替えて前面板１３の下方を切欠いてリード線１１を通してもよい。
【００３１】
回路部は回路基板８の両面にスイッチング素子、トランス、コンデンサ等の多数の電子部品が実装されている。回路基板８の取付け状態を図９に示す。また、図９のＥ−Ｅ断面図を図１０に示す。本体部３の底板５は周縁の一部をプレス加工により折曲して取付部５ａが形成されている。取付部５ａにはネジ孔５ｂが形成されている。
【００３２】
回路基板８には貫通孔８ａが設けられ、貫通孔８ａに挿通したネジ（不図示）をネジ孔５ｂに螺合して回路基板８の一端が取付部５ａに取付けられている。これにより、回路基板８が底板５の底面から離間して保持されるようになっている。
【００３３】
また、底板５に形成した貫通孔５ｃ及び回路基板８の貫通孔８ａに、弾性変形可能な支持クリップ２４を係合して回路基板８の他端が支持されている。支持クリップ２４は弾性変形するため、回路基板８に加わる衝撃を緩衝して回路基板８の故障を低減できるようになっている。
【００３４】
上記構成の電子レンジ１において、電源が入れられ、加熱室４内に被加熱物を載置してドア２を閉じると、リード線１１を介して回路部から表示パネル１５に信号が送られ、表示パネル１５に調理条件の入力指示が表示される。操作部１６の操作により回路部と通信を行い、調理条件の入力後調理開始を指示すると、電装室６内に配されたマグネトロンによりマイクロ波が発生して被加熱物の調理が行われる。所定の時間が経過するとマグネトロンが停止して所望の調理が終了するようになっている。
【００３５】
本実施形態によると、本体部３の回路基板８とドア２に設けた電装部９とを接続するリード線１１が、支持台１０と別部材から成る着脱自在のリード線カバー１７により覆われる。このため、リード線１１を接続する前に支持台１０を本体部３に取付けることができる。従って、安定した状態で電子レンジ１の組立を行うことができ、組立工数を削減することができる。また、メンテナンス時にリード線カバー１７を脱着するだけでリード線１１を取りはずすことができ、リード線１１の接続時に支持台１０を取り外す必要がない。従って、メンテナンスを容易に行うことができる。
【００３６】
また、リード線カバー１７の上面に設けた孔部１７ａは後方の本体部３側に開放されるので、リード線１１を接続したままリード線カバー１７を着脱できるため更に組み立て作業及びメンテナンスを容易にすることができる。
【００３７】
また、底板５の周縁の一部を折曲して回路部の回路基板８を取付けるため、従来のような取付板８（図１１参照）を別途設ける必要がなく部品点数を削減して電子レンジ１のコスト削減を図ることができる。
【００３８】
尚、本実施形態において、電子レンジについて説明しているが、加熱室の前面を開閉する他の加熱調理器であっても同様の構成により同様の効果を得ることができる。
【００３９】
【発明の効果】
本発明によると、本体部の回路部とドアに設けた電装部とを接続するリード線が、支持台と別部材から成る着脱自在のリード線カバーにより覆われるため、リード線を接続する前に支持台を本体部に取付けることができる。従って、安定した状態で加熱調理装置の組立を行うことができ、組立工数を削減することができる。また、メンテナンス時にリード線カバーを脱着するだけでリード線を取りはずすことができ、リード線の接続時に支持台を取り外す必要がない。従って、メンテナンスを容易に行うことができる。
【００４０】
また本発明によると、リード線カバーの上面に、本体部側に開放した孔部を設けているので、リード線を接続したままリード線カバーを着脱できる。このため、更に組み立て作業及びメンテナンスを容易にすることができる。
【００４１】
また本発明によると、支持台により前面板の前面を覆い、本体部の上端から加熱室の上端までの距離と、加熱室の下端から支持台の上端までの距離とを略等しくしているので、回路部を加熱室の下方に配置することによって加熱室よりも下方の距離が長くなってもドアを開いた際に使用者に該距離を長く感じさせず美観を向上させることができる。
【００４２】
また本発明によると、ドアの背面下部に、本体部から離れる方向に凹設される段差を形成したので、前面板の前面を覆う支持台とドアとの干渉を回避することができる。
【００４３】
また本発明によると、リード線カバーを支持台に係着することにより、リード線カバーの上部だけでなく下部も係止することができる。このため、リード線カバーを安定して支持することができる。
【００４４】
また本発明によると、被加熱物を収納する加熱室を有する本体部の底板と加熱室との間に電装部品を実装した回路基板を配置し、底板の周縁を折曲して回路基板を取付ける取付部を形成しているので、従来のような取付板を別途設ける必要がなく、部品点数を削減してコスト削減を図ることができる。
【００４５】
また本発明によると、回路基板を支持して弾性を有する支持クリップを底板と回路基板との間に配しているので、回路基板に加わる衝撃を緩衝して回路基板の故障を低減できる。
【図面の簡単な説明】
【図１】    本発明の実施形態の電子レンジを示す斜視図である。
【図２】    本発明の実施形態の電子レンジの本体部を示す正面図である。
【図３】    本発明の実施形態の電子レンジのドアを示す背面斜視図である。
【図４】    本発明の実施形態の電子レンジの要部を示す側面図である。
【図５】    本発明の実施形態の電子レンジのリード線カバーを示す背面斜視図である。
【図６】    本発明の実施形態の電子レンジの支持台及びリード線カバーを示す前面斜視図である。
【図７】    本発明の実施形態の電子レンジのドアを示す正面図である。
【図８】    本発明の実施形態の電子レンジを示す側面断面図である。
【図９】    本発明の実施形態の電子レンジの回路基板の取付け状態を示す斜視図である。
【図１０】  図９のＥ−Ｅ断面図である。
【図１１】  従来の電子レンジを示す斜視図である。
【図１２】  従来の電子レンジの要部を示す側面断面図である。
【符号の説明】
１    電子レンジ
２    ドア
３    本体部
４    加熱室
５    底板
５ａ  取付部
６    電装室
８    基板
９    電装部
１０    支持台
１１    リード線
１７    リード線カバー
【図１】
0003768117.tif 000002
【図２】
0003768117.tif 000003
【図３】
0003768117.tif 000004
【図４】
0003768117.tif 000005
【図５】
0003768117.tif 000006
【図６】
0003768117.tif 000007
【図７】
0003768117.tif 000008
【図８】
0003768117.tif 000009
【図９】
0003768117.tif 000010
【図１０】
0003768117.tif 000011
【図１１】
0003768117.tif 000012
【図１２】
0003768117.tif 000013